(57)【特許請求の範囲】
【請求項１】
横方向に、第一重ね板（１）、第一仕切板（２）、第二重ね板（３）、第二仕切板（４）、第三重ね板（５）、第一側板（６）、前板（７）、第二側板（８）、後板（９）、第三側板（１０）の順に折線（ａ）を介してそれぞれを連接し、前板（７）の第一側板（６）寄りの上方向に、折線（ａ）を介して第四重ね板（１１）を連接し、後板（９）の第二側板（８）寄りの上方向に折線（ａ）を介して第五重ね板（１２）を連接し、第四重ね板（１１）の第一側板（６）方向に、第三仕切板（１３）、第六重ね板（１４）の順に折線（ａ）を介してそれぞれを連接し、第五重ね板（１２）の第二側板（８）方向に、第四仕切板（１５）、第七重ね板（１６）の順に折線（ａ）を介してそれぞれを連接し、前板（７）の第二側板（８）寄りの上方向に切取線（ｂ）を介して第一切取板（１７）を連接し、後板（９）の第三側板（１０）寄りの上方向に切取線（ｂ）を介して第二切取板（１８）を連接してなる台紙（Ａ）を、各折線（ａ）で折り曲げ、四方全面が板面で囲まれた略同一形状の五個の収容空間（Ｓ）を形成したことを特徴とする中仕切り。
【請求項２】
前記台紙（Ａ）を、第四重ね板（１１）を折線（ａ）で谷折りし、前板（７）に重ねて糊付け固定すると共に、第五重ね板（１２）を折線（ａ）で谷折りし後板（９）に重ねて糊付け固定し、第二重ね板（３）を折線（ａ）で谷折りし、第一重ね板（１）を第三重ね板（５）に重ねて糊付け固定し、第三重ね板（５）を折線（ａ）で谷折りし、第一重ね板（１）を第六重ね板（１４）に重ねて糊付け固定すると共に、第二重ね板（３）を前板（７）に重ねて糊付け固定し、前板（７）を折線（ａ）で谷折りし、前板（７）を第七重ね板（１６）に重ねて糊付け固定すると共に、第三重ね板（５）を後板（９）に重ねて糊付け固定し、第三側板（１０）を折線（ａ）で谷折りし、この第三側板（１０）を第一側板（６）に重ねて糊付け固定し、第一切取板（１７）および第二切取板（１８）をそれぞれ切取線（ｂ）で切り取って折り畳み状態にし、この折り畳み状態の表裏に、それぞれ逆向きの力を加えて引き起こすようにしたことを特徴とする請求項１記載の中仕切り。
【請求項３】
請求項１または２記載の中仕切りの外周を、収納箱の内面で包囲したことを特徴とする中仕切り付き収納箱。
【請求項４】
前記収納箱を、横方向に、第一側板（２１）、後板（２２）、第二側板（２３）、前板（２４）、重ね板（２５）の順に折線（ｃ）を介してそれぞれを連接し、後板（２２）の上方向に、蓋板（２６）、差込板（２７）の順に折線（ｃ）を介してそれぞれを連接すると共に、後板（２２）の下方向に、第一底板（２８）を折線（ｃ）を介して連接し、前板（２４）の下方向に、第二底板（２９）を折線（ｃ）を介して連接し、第一側板（２１）および第二側板（２３）の上下方向に、フラップ（３０）を折線（ｃ）を介してそれぞれ連接してなる台紙（Ｂ）を、各折線（ｃ）で折り曲げたものとしたことを特徴とする請求項３記載の中仕切り付き収納箱。
【請求項５】
前記台紙（Ｂ）を、前板（２４）を折線（ｃ）で谷折りし、後板（２２）に重ね、第一側板（２１）を折線（ｃ）で谷折りし、重ね板（２５）に重ねて糊付け固定して折り畳み状態にし、この折り畳み状態の表裏に、それぞれ逆向きの力を加えて引き起こし、第一側板（２１）および第二側板（２３）の下方向のフラップ（３０）をそれぞれ山折りし、第二底板（２９）を折線（ｃ）で山折りして、これらフラップ（３０）に重ね、第一底板（２８）を折線（ｃ）で山折りし、第二底板（２９）に重ねて糊付け固定したものとしたことを特徴とする請求項４記載の中仕切り付き収納箱。
【発明の詳細な説明】
【技術分野】
【０００１】
この発明は、食品、飲料、薬品瓶等が収納箱内で接触するのを防止する中仕切り、およびこの中仕切りを付けた収納箱に関するものである。
【背景技術】
【０００２】
従来、この種の中仕切りとしては、例えば、図１３、１４に示したようなもの（特許文献１）や図１５、１６に示したもの（特許文献２）が存在した。
【０００３】
図１３、１４に示した中仕切りは、中央の横の折り目線ａによって二重に折曲げられた左仕切り板３１と中仕切り板３２と右仕切り板３３と、これらの仕切り板３１、３２、３３から前後に突出させた前後の仕切り板３４、３４とを、谷折り線ｄ、ｄ、ｄ、ｄを介して交互に連接している。そして、前記の左仕切り板３１と右仕切り板３３との、それぞれ一方の下辺に、左右の形成芯板３５、３５を横の折り目線ｅ、ｅを介して連接して、二重に折曲げられた左仕切り板３１と中仕切り板３２と右仕切り板３３との間に、前記左右の形成芯板３５、３５を折込んでいる。さらに、左仕切り板３１と中仕切り板３２と右仕切り板３３との、それぞれの下端部内面どうしを貼着したものとしている。
【０００４】
このように構成した中仕切りは、中仕切り板３２と前後の仕切り板３４、３４で三方全面が包囲される収納空間Ｓａを中央に２個形成し、中仕切り板３２と前の仕切り板３４、または中仕切り板３２と後の仕切り板３４で二方全面が包囲される収納空間Ｓｂをそれぞれ前後に２個ずつ形成し、合計６個の収納空間を形成している。
【０００５】
図１５、１６に示した中仕切りは、底板４１の両側に起立する第１仕切板４２、４３に第２仕切板４４、４５、４６を組み付けたものとしている。そして、底板４１に底部切込み４７を設け、第１仕切板４２、４３に底部切込み４７の両端に連続する下切込み４８、４９を設け、第２仕切板４４、４５、４６に上切込み５１、５２を設けている。さらに、底板４１に第１折畳線５３を設け、第２仕切板４４、４５、４６に第２折畳線５４を設けている。また、上切込み５１、５２は、第２仕切板４４、４５、４６の一側方に向かって屈曲又は湾曲し、第２折畳線５４を軸とする左右対称とされている。そのため、上切込み５１、５２に挿着された第１仕切板３、４は湾曲して弾発的に上切込み５１、５２に圧接係合している。
【０００６】
このように構成した仕切体は、第１仕切板と第２仕切板で四方全面が包囲される収納空間Ｓｃを中央に２個形成し、これら二個の周囲に第１仕切板と第２仕切板で、三方全面が包囲される収納空間Ｓｄを６個、二方全面が包囲される収納空間Ｓｅを４個形成し、合計１２個の収納空間を形成している。
【先行技術文献】
【特許文献】
【０００７】
【特許文献１】特開平８−４８３２５
【特許文献１】特開２００８−３０７６０
【発明の概要】
【発明が解決しようとする課題】
【０００８】
しかしながら、特許文献１に示された中仕切りは、一枚の台紙で構成され、折り目線がその台紙の縦方向と横方向に直交するように形成されているため、自動製函機（サックマシン）で作製できるので量産化がし易いものの、中央の収納空間Ｓａは、前記したように三方全面が包囲されているだけであり、前後の収納空間Ｓｂは、前記したように二方全面が包囲されているだけである。
【０００９】
また、特許文献２に示された中仕切りは、中央の収納空間Ｓｃは、前記したように四方全面が包囲されているものの、この中央の収納空間Ｓｃの周囲の収納空間Ｓｄは、前記したように三方全面が包囲されているだけであり、また収納空間Ｓｅは、前記したように二方全面が包囲されているだけである。なお、この特許文献２に示された中仕切りは、四枚の台紙で構成されているため、自動製函機（サックマシン）で作製することができず、量産化するには不向きで、組み立て作業が必要となる。
【００１０】
そのため、前記特許文献１、２に示された中仕切りを、これら中仕切りの外周に沿うようにした上下蓋付きの箱体（図示せず）に収納した場合には、前記収納空間Ｓａ〜Ｓｅの仕切り板で包囲されていない面は、箱体の内面によって包囲されることになる。
【００１１】
しかしながら、特許文献１、２の何れに示されたものでも、箱体に収納する物品が衝撃に弱い物品、例えばガラス製品等である場合には、前記収納空間Ｓａ〜Ｓｅの箱体の内面によって包囲されている部分は、この箱体の内面のみの一重構造であるため、耐衝撃機能に劣り、緩衝能力が充分であるとはいえない。
【００１２】
そこで、この発明は、収納空間の四方全面が板面で包囲されたものとして、耐衝撃機能に優れ、緩衝能力が充分な中仕切りを提供すると共に、この中仕切りを箱体に入れた場合には、この箱体の内面と中仕切りの板面で少なくとも二重構造にして、耐衝撃機能に優れ、緩衝能力が充分な中仕切り付き収納箱を提供することを目的としている。
【課題を解決するための手段】
【００１３】
この発明の中仕切りは、横方向に、第一重ね板１、第一仕切板２、第二重ね板３、第二仕切板４、第三重ね板５、第一側板６、前板７、第二側板８、後板９、第三側板１０の順に折線ａを介してそれぞれを連接し、前板７の第一側板６寄りの上方向に、折線ａを介して第四重ね板１１を連接し、後板９の第二側板８寄りの上方向に折線ａを介して第五重ね板１２を連接し、第四重ね板１１の第一側板６方向に、第三仕切板１３、第六重ね板１４の順に折線ａを介してそれぞれを連接し、第五重ね板１２の第二側板８方向に、第四仕切板１５、第七重ね板１６の順に折線ａを介してそれぞれを連接し、前板７の第二側板８寄りの上方向に切取線ｂを介して第一切取板１７を連接し、後板９の第三側板１０寄りの上方向に切取線ｂを介して第二切取板１８を連接してなる台紙Ａを、各折線ａで折り曲げ、四方全面が板面で囲まれた略同一形状の五個の収容空間Ｓを形成したものとしている。
【００１４】
さらに、この発明の中仕切りは、前記台紙Ａを、第四重ね板１１を折線ａで谷折りし、前板７に重ねて糊付け固定すると共に、第五重ね板１２を折線ａで谷折りし後板９に重ねて糊付け固定し、第二重ね板３を折線ａで谷折りし、第一重ね板１を第三重ね板５に重ねて糊付け固定し、第三重ね板５を折線ａで谷折りし、第一重ね板１を第六重ね板１４に重ねて糊付け固定すると共に、第二重ね板３を前板７に重ねて糊付け固定し、前板７を折線ａで谷折りし、前板７を第七重ね板１６に重ねて糊付け固定すると共に、第三重ね板５を後板９に重ねて糊付け固定し、第三側板１０を折線ａで谷折りし、この第三側板１０を第一側板６に重ねて糊付け固定し、第一切取板１７および第二切取板１８をそれぞれ切取線ｂで切り取って折り畳み状態にし、この折り畳み状態の表裏に、それぞれ逆向きの力を加えて引き起こすようにしている。
【００１５】
そして、この発明の中仕切り付き収納箱は、前記中仕切りの外周を、収納箱の内面で包囲したものとしている。
【００１６】
さらに、この発明の中仕切り付き収納箱は、前記収納箱を、横方向に、第一側板２１、後板２２、第二側板２３、前板２４、重ね板２５の順に折線ｃを介してそれぞれを連接し、後板２２の上方向に、蓋板２６、差込板２７の順に折線ｃを介してそれぞれを連接すると共に、後板２２の下方向に、第一底板２８を折線ｃを介して連接し、前板２４の下方向に、第二底板２９を折線ｃを介して連接し、第一側板２１および第二側板２３の上下方向に、フラップ３０を折線ｃを介してそれぞれ連接してなる台紙Ｂを、各折線ｃで折り曲げたものとしている。
【００１７】
また、この発明の中仕切り付き収納箱は、前記台紙Ｂを、前板２４を折線ｃで谷折りし、後板２２に重ね、第一側板２１を折線ｃで谷折りし、重ね板２５に重ねて糊付け固定して折り畳み状態にし、この折り畳み状態の表裏に、それぞれ逆向きの力を加えて引き起こし、第一側板２１および第二側板２３の下方向のフラップ３０をそれぞれ山折りし、第二底板２９を折線ｃで山折りして、これらフラップ３０に重ね、第一底板２８を折線ｃで山折りし、第二底板２９に重ねて糊付け固定したものとしている。
【発明の効果】
【００１８】
この発明の中仕切りは、収納空間の四方全面が板面で包囲されたものとなったので、耐衝撃機能に優れ、緩衝能力が充分なものなった。
【００１９】
そして、この発明の中仕切り付き収納箱は、箱体の内面と中仕切りの板面で少なくとも二重に包囲された収納空間が形成されるものとなり、耐衝撃機能に優れ、緩衝能力が充分なものなった。
【００２０】
さらに、この発明の中仕切り付き収納箱は、箱体の内面と中仕切りの板面で三重に包囲された収納空間がいくつか形成されるものとなり、より耐衝撃機能に優れ、より緩衝能力が充分なものなった。
【００２１】
また、この発明の中仕切り付き収納箱は、簡単に組み立てられ、中仕切りと容易に用いられるものとなった。
【００２２】
さらに、この発明の中仕切りおよびその収納箱は、自動製函機（サックマシン）で作製できるので、量産化がし易いものとなった。
【図面の簡単な説明】
【００２３】
【図１】この発明の中仕切りを構成する台紙の一例を示す展開図である。
【図２】図１に示す台紙の折り曲げ順序を示す説明図である。
【図３】この発明の中仕切りの斜視図である。
【図４】この発明の中仕切りを構成する台紙の他の例を示す展開図である。
【図５】この発明の収納箱を構成する台紙の一例を示す展開図である。
【図６】図５に示す台紙の折り曲げ順序を示す説明図である。
【図７】この発明の収納箱の斜視図である。
【図８】この発明の収納箱に中仕切りを装着する状態を示す説明図である。
【図９】この発明の収納箱に中仕切りを装着する順序を示す説明図である。
【図１０】この発明の収納箱に装着した中仕切りの収納空間に衝撃に弱い物品を入れた状態を示す斜視図である。
【図１１】図１０に示すこの発明の収納箱の水平断面図である。
【図１２】この発明の収納箱の他の実施形態示す平面図である。
【図１３】従来の中仕切りの一例を示す展開図である。
【図１４】図１３に示す従来の中仕切りの斜視図である。
【図１５】従来の中仕切りの他の例を示す斜視図である。
【図１６】図１５に示す従来の中仕切りの分解斜視図である。
【発明を実施するための形態】
【００２４】
以下、この発明の中仕切りおよび中仕切り付き収納箱を実施するための形態を、図１〜９に基づいて詳細に説明する。
【００２５】
図１は、中仕切りを構成する台紙Ａの展開図を示しており、横長とした台紙Ａの横方向に、第一重ね板１、第一仕切板２、第二重ね板３、第二仕切板４、第三重ね板５、第一側板６、前板７、第二側板８、後板９、第三側板１０の順に折線ａを介してそれぞれを連接している。
【００２６】
そして、前板７の第一側板６寄りの上方向に、折線ａを介して第四重ね板１１を連接し、後板９の第二側板８寄りの上方向に折線ａを介して第五重ね板１２を連接している。さらに、第四重ね板１１の第一側板６方向に、第三仕切板１３、第六重ね板１４の順に折線ａを介してそれぞれを連接している。また、第五重ね板１２の第二側板８方向に、第四仕切板１５、第七重ね板１６の順に折線ａを介してそれぞれを連接している。さらに、前板７の第二側板８寄りの上方向に切取線ｂを介して第一切取板１７を連接し、後板９の第三側板１０寄りの上方向に切取線ｂを介して第二切取板１８を連接している。
【００２７】
この場合、第一仕切板２、第二重ね板３、第二仕切板４、第一側板６、第二側板８、第三側板１０、第四重ね板１１、第五重ね板１２、第三仕切板１３、第六重ね板１４、第四仕切板１５および第七重ね板１６の幅Ｗａは、それぞれ同寸法にしている。そして、これらの幅Ｗａの２倍の寸法を、第一重ね板１の横幅の寸法にし、これらの幅Ｗａの５倍の寸法を、前板７および後板９のそれぞれの横幅の寸法にしている。さらに、第一仕切板２の幅Ｗａ、第二重ね板３の幅Ｗａおよび第二仕切板４の幅Ｗａを加えた寸法は、第三重ね板５の横幅の寸法にしている。また、第一切取板１７および第二切取板１８のそれぞれの横幅は、前記幅Ｗａの３倍より少し狭い寸法にしている。
【００２８】
次に、第一重ね板１、第一仕切板２、第二重ね板３、第二仕切板４、第三重ね板５、第三仕切板１３、第六重ね板１４、第四仕切板１５および第七重ね板１６の高さＨａは、それぞれ同寸法にし、前板７、第二側板８、後板９および第三側板１０、第四重ね板１１、第五重ね板１２、第一切取板１７および第二切取板１８の高さＨｂは、それぞれ同寸法にし、高さＨａは高さＨｂより少し低くしている。なお、第一側板６の高さは、高さＨａと同寸法にしても、高さＨｂと同寸法にしても、これら高さＨａと高さＨｂの間の寸法にしてもよい。
【００２９】
さらに、第一側板６と前板７の間の折線ａと、第三仕切板１３と第六重ね板１４の間の折線ａは、同一直線上に位置するようにし、第二側板８と後板９の間の折線ａと、第四仕切板１５と第七重ね板１６の間の折線ａは、同一直線上に位置するようにしている。
【００３０】
また、第一仕切板２、第二重ね板３、第二仕切板４、第三重ね板５、第一側板６、前板７、第二側板８、後板９および第三側板１０のそれぞれの下辺Ｌａは、同一直線上に位置するようにし、第四重ね板１１、第五重ね板１２、第三仕切板１３、第四仕切板１５、第一切取板１７および第二切取板１８のそれぞれの上辺Ｌｂは、同一直線上に位置するようにしている。このようにしているのは、自動製函機における台紙Ａの搬送方向に、台紙Ａの出っ張り部をなくして、搬送し易くするためである。なお、後に述べる台紙Ａの折り曲げ加工を自動製函機によらず手仕事で行う場合には、第一切取板１７および第二切取板１８を設けなくてもよい。
【００３１】
さらに、第一重ね板１の下辺Ｌａは、上方向に少し傾斜したものとし、第一側板６、第六重ね板１４および第七重ね板１６のそれぞれの上辺Ｌｂは、下方向に少し傾斜したものとしている。また、第三重ね板５下辺Ｌａと第一側板６の下辺Ｌａから折線ａにかけて三角形状の切欠部Ｃを設けている。このようにしているのは、後に述べる折り曲げ加工をし易くしたり、折り曲げた状態の中仕切りの体裁をよくするためである。
【００３２】
また、第一重ね板１と第一仕切板２の間の折線ａ、第一側板６と前板７の間の折線ａ、前板７と第二側板８の間の折線ａ、第二側板８と後板９の間の折線ａ、第四重ね板１１と第三仕切板１３の間の折線ａ、第三仕切板１３と第六重ね板１４の間の折線ａ、第五重ね板１２と第四仕切板１５の間の折線ａおよび第四仕切板１５第七重ね板１６の間の折線ａは、それぞれ上下に二本の切込みＣａを入れ、折り曲げ易くしている。
【００３３】
さらに、後板９と第三側板１０の間の折線ａは、上部から下部にかけて幅を持たせた孔Ｃｂを設けている。このようにしているのは、後に述べる折り曲げ加工によって折り曲げた状態の第一側板６と第三側板１０の膨らみや反り返り等の変形を逃がすためである。
【００３４】
そして、このようにした台紙Ａを各折線ａで折り曲げ、四方全面が板面で囲まれた略同一形状の五個の収容空間Ｓを形成した中仕切りが構成される。
【００３５】
具体的には、前記台紙Ａを、図２（ａ）〜（ｇ）に示したような工程順序で折り曲げることにより、中仕切りが構成される。
【００３６】
先ず、第一工程として、図２（ａ）の状態から、第四重ね板１１を折線ａで谷折りし、前板７に重ねて糊付け固定すると共に、第五重ね板１２を折線ａで谷折りし後板９に重ねて糊付け固定し、図２（ｂ）の状態にする。
【００３７】
次に、第二工程として、図２（ｂ）の状態から、第二重ね板３を折線ａで谷折りし、第一重ね板１を第三重ね板５に重ねて糊付け固定し、図２（ｃ）の状態にする。なお、この第二工程は、第一工程と順序を逆にしてもよい。
【００３８】
第三工程として、図２（ｃ）の状態から、第三重ね板５を折線ａで谷折りし、第一重ね板１を第六重ね板１４に重ねて糊付け固定すると共に、第二重ね板３を前板７に重ねて糊付け固定し、図２（ｄ）の状態にする。
【００３９】
第四工程として、図２（ｄ）の状態から、前板７を折線ａで谷折りし、前板７を第七重ね板１６に重ねて糊付け固定すると共に、第三重ね板５を後板９に重ねて糊付け固定し、図２（ｅ）の状態にする。
【００４０】
さらに、第五工程として、図２（ｅ）の状態から、第三側板１０を折線ａで谷折りし、この第三側板１０を第一側板６に重ねて糊付け固定し、図２（ｆ）の状態にする。
【００４１】
最後に、第六工程として、図２（ｆ）の状態から、第一切取板１７および第二切取板１８をそれぞれ切取線ｂで切り取り、図２（ｇ）の折り畳み状態にする。
【００４２】
そして、図２（ｇ）の折り畳み状態の表裏に、それぞれ逆向きの力を加えて引き起こせば、図３に示したような、四方全面が板面で囲まれた略同一形状の五個の収容空間Ｓを形成した中仕切りができ上がる。
【００４３】
なお、台紙Ａは、図１に示した展開図の状態に自動打抜機により抜き加工して、一個ずつ製造されるが、図４に示したように二個を下辺Ｌａどうしで連結させた展開図の状態に自動打抜機により抜き加工し、その後切り離すことにより製造することもできる。
【００４４】
さらに、台紙Ａは、図２（ａ）〜（ｇ）に示したような工程を経て、手仕事や自動製函機によって一個ずつ折り曲げ加工されるが、図４に示したように二個を連結させたまま折り曲げ加工することもできる。
【００４５】
図５は、収納箱を構成する台紙Ｂの展開図を示しており、横長とした台紙Ｂの横方向に、第一側板２１、後板２２、第二側板２３、前板２４、重ね板２５の順に折線ｃを介してそれぞれを連接している。
【００４６】
そして、後板２２の上方向に、蓋板２６、差込板２７の順に折線ｃを介してそれぞれを連接すると共に、後板２２の下方向に、第一底板２８を折線ｃを介して連接している。さらに、前板２４の下方向に、第二底板２９を折線ｃを介して連接し、第一側板２１および第二側板２３の上下方向に、フラップ３０を折線ｃを介してそれぞれ連接している。
【００４７】
この場合、第一側板２１、第二側板２３、蓋板２６および第一底板２８の幅Ｗｂは、それぞれ略同寸法にしており、この幅Ｗｂは、収納箱に中仕切りの外周が沿った状態で納まるように、前記した幅Ｗａより少し広くしている。さらに、後板２２および前板２４の幅は、同寸法にしており、この幅は、収納箱に中仕切りの外周が沿った状態で納まるように、前記した幅Ｗａの５倍より少し広くしている。
【００４８】
また、第一側板２１、後板２２、第二側板２３および前板２４の高さＨｃは、それぞれ略同寸法にしており、この高さＨｃは、収納箱に中仕切りが納まるように、前記した高さＨｂより約１ｍｍ高くしている。
【００４９】
そして、このようにした台紙Ｂを各折線ｃで折り曲げ、中仕切りの四方全面を内面で包囲する収納箱が構成される。
【００５０】
具体的には、前記台紙Ｂを、図６（ａ）〜（ｃ）に示したような順序で折り曲げることにより、収納箱が構成される。
【００５１】
先ず、図６（ａ）の展開状態から、前板２４を折線ｃで谷折りし、後板２２に重ね、図６（ｂ）の状態にする。
【００５２】
次に、図６（ｂ）の状態から、第一側板２１を折線ｃで谷折りし、重ね板２５に重ねて糊付け固定し、図６（ｃ）の折り畳み状態にする。
【００５３】
そして、図６（ｃ）の折り畳み状態の表裏に、それぞれ逆向きの力を加えて引き起こし、第一側板２１および第二側板２３の下方向のフラップ３０をそれぞれ山折りし、第二底板２９を折線ｃで山折りして、これらフラップ３０に重ねる。さらに、第一底板２８を折線ｃで山折りし、第二底板２９に重ねて糊付け固定すれば、図７に示す収納箱ができ上がる。
【００５４】
このようにした収納箱には、図８に示したように、その開口部Ｏから前記中仕切りを挿入すれば、この中仕切りの外周が箱体の内面によって包囲された中仕切り付き収納箱が構成される。
【００５５】
また、前記中仕切り付き収納箱を構成するには、図９（ａ）〜（ｃ）に示したような順序で、構成することもできる、
先ず、前記図２（ｇ）の折り畳み状態の台紙Ａの前板７を、前記図６（ａ）の展開状態の台紙Ｂの前板２４に重ね、図９（ａ）の状態にする。
【００５６】
次に、図９（ａ）の状態から、台紙Ｂの重ね板２５を折線ｃで谷折りし、台紙Ａの第二側板８に重ねて糊付け固定し、図９（ｂ）の状態にする。
【００５７】
さらに、図９（ｂ）の状態から、台紙Ｂの後板２２を折線ｃで谷折りし、台紙Ｂの第一側板２１を重ね板２５に重ねて糊付け固定し、図９（ｃ）の折り畳み状態にする。
【００５８】
そして、図９（ｃ）の折り畳み状態の表裏に、それぞれ逆向きの力を加えて引き起こし、第一側板２１および第二側板２３の下方向のフラップ３０をそれぞれ山折りし、第二底板２９を折線ｃで山折りして、これらフラップ３０に重ねる。さらに、第一底板２８を折線ｃで山折りし、第二底板２９に重ねて糊付け固定すれば、中仕切り付き収納箱ができ上がる。
【００５９】
以上のように構成されたこの発明の中仕切り付き収納箱は、図１０に示したように、その中仕切りの収納空間Ｓに、衝撃に弱い物品、例えば薬品瓶（バイアル）等のガラス製品を収納しておくと、この衝撃に弱い物品の周囲は、図１１に示したように、収納箱と中仕切りによって少なくとも二重に、場所によっては三重、四重に包囲されているので、耐衝撃機能に優れたものとなる。
【００６０】
また、この発明の中仕切り付き収納箱は、中仕切りの上方に形成される収納箱との隙間Ｓｏに添付文書等を入れておけば、これが緩衝材として働き、箱の底も第一底板２８と第二底板２９の二重底にしているため、上下方向においても耐衝撃機能に優れたものとなる。
【００６１】
なお、この発明の中仕切り付き収納箱は、前記図９（ｃ）の折り畳み状態で半完成品として納品することができる。この場合には、中仕切り付き収納箱が嵩の低いものとして取り扱うことができ、納品先への搬入等も効率良く行える。なお、納品先では、折り畳み状態の半完成品に、表裏からそれぞれ逆向きの力を加えて引き起こして、前記したようにすれば、簡単に完成品とすることができる。
【００６２】
さらに、この発明の中仕切りは、図３に示した五つの収容空間Ｓを形成した状態にしたものを二個、それぞれの前板７どうしまたは後板９どうし、あるいは前板７と後板９を、背中合わせにして、これら背中合わせにした二個の外周に沿うようにした収納箱に挿入すれば、図１２に示したように、十個の収容空間Ｓを形成した中仕切り付き収納箱にすることができる。
【００６３】
また、この発明の中仕切りは、図３に示した五個の収容空間Ｓを形成した状態にしたものを三個以上、前板７どうしまたは後板９どうし、あるいは前板７と後板９を、背中合わせにして、これら背中合わせにした三個以上の外周に沿うようにした収納箱に挿入すれば、十五個以上の収容空間Ｓを形成した中仕切り付き収納箱にすることもできる。
【符号の説明】
【００６４】
１  第一重ね板
２  第一仕切板
３  第二重ね板
４  第二仕切板
５  第三重ね板
６  第一側板
７  前板
８  第二側板
９  後板
１０  第三側板
１１  第四重ね板
１２  第五重ね板
１３  第三仕切板
１４  第六重ね板
１５  第四仕切板
１６  第七重ね板
１７  第一切取板
１８  第二切取板
２１  第一側板
２２  後板
２３  第二側板
２４  前板
２５  重ね板
２６  蓋板
２７  差込板
２８  第一底板
２９  第二底板
３０  フラップ
Ａ  台紙
Ｂ  台紙
Ｓ  収容空間
ａ  折線
ｂ  切取線
ｃ  折線
【図１】
0005522603.tif 000002
【図２】
0005522603.tif 000003
【図３】
0005522603.tif 000004
【図４】
0005522603.tif 000005
【図５】
0005522603.tif 000006
【図６】
0005522603.tif 000007
【図７】
0005522603.tif 000008
【図８】
0005522603.tif 000009
【図９】
0005522603.tif 000010
【図１０】
0005522603.tif 000011
【図１１】
0005522603.tif 000012
【図１２】
0005522603.tif 000013
【図１３】
0005522603.tif 000014
【図１４】
0005522603.tif 000015
【図１５】
0005522603.tif 000016
【図１６】
0005522603.tif 000017